(57)【要約】【課題】  光ピックアップの傾角調整装置において、コイルばねに代えて板ばねを用いるものでありながら、その板ばねを固定するためのビスを不要にする。【解決手段】  光学台１上に配備したアクチュエータ５の１箇所をばね体６の弾圧力で弾圧し、光学台１の定位置に回転可能に装備した傾角調整ねじ７，８をアクチュエータ５のねじ孔５１，５２にねじ込み、傾角調整ねじ７，８の回転操作によってアクチュエータを傾動させるようになっている。ばね体６を板ばねで構成し、その板ばねの取付片部６１を光学台１の差込み孔１２に差し込んで固定する。板ばねの作用部６５を球面状に形成してばね受片５３の挿通孔５６の口縁５７に重ね合わせてもよい。【選択図】        図１
2006134413.tif 000002
【特許請求の範囲】
【請求項１】
光学台上に配備されたアクチュエータの１箇所がばね体の弾圧力で上記光学台に近付く方向に弾圧され、上記光学台の定位置に回転可能に装備されて上記アクチュエータのねじ孔にねじ込まれた傾角調整ねじの回転操作によってそのアクチュエータを上記ばね体の弾圧力を利用して傾動させるようになっていると共に、上記ばね体が、アクチュエータに具備されたばね受片とそのばね受片の挿通孔を通して上記光学台のねじ孔にねじ込まれた頭付きねじの頭部との間に圧縮状態で介在されたコイルばねでなる光ピックアップの傾角調整装置において、
上記頭付きねじを省略し、かつ、上記コイルばねを、開口の口縁でなる係止部を有する取付片部とその取付片部から延び出て上記作用部を備えた押圧片部とを有する板ばねに変更してその板ばねの作用部を上記ばね受片に弾圧状態で重ね合わせてあると共に、その板ばねの上記取付片部が上記光学台に具備された差込み孔に差し込まれ、かつ、その取付片部の上記係止部に光学台側に具備された係止爪が係止することによって、その板ばねが上記光学台に固定され、
上記板ばねの作用部が球面状に形成されていて、その作用部が上記ばね受片の挿通孔の口縁に重なり合っていることを特徴とする光ピックアップの傾角調整装置。
【請求項２】
光学台上に配備されたアクチュエータの１箇所がばね体の弾圧力で上記光学台に近付く方向に弾圧され、上記光学台の定位置に回転可能に装備されて上記アクチュエータのねじ孔にねじ込まれた傾角調整ねじの回転操作によってそのアクチュエータを上記ばね体の弾圧力を利用して傾動させるようになっていると共に、上記ばね体が、アクチュエータに具備されたばね受片とそのばね受片の挿通孔を通して上記光学台のねじ孔にねじ込まれた頭付きねじの頭部との間に圧縮状態で介在されたコイルばねでなる光ピックアップの傾角調整装置において、
上記頭付きねじを省略し、かつ、上記コイルばねを、上記光学台に取付ねじを用いない固定構造を採用して固定された板ばねに変更し、その板ばねの作用部を上記ばね受片に弾圧状態で重ね合わせてあることを特徴とする光ピックアップの傾角調整装置。
【請求項３】
上記固定構造が、上記板ばねに設けた取付片部を、光学台に具備させた係止爪に係止させることによって構成されている請求項２に記載した光ピックアップの傾角調整装置。
【請求項４】
上記板ばねの作用部が球面状に形成されていて、その作用部が上記ばね受片の挿通孔の口縁に重なり合っている請求項３に記載した光ピックアップの傾角調整装置。
【発明の詳細な説明】
【技術分野】
【０００１】
本発明は、コンパクトディスクや光ディスクなどに対して記録又は再生を行うための光学的記録再生装置に用いられる光ピックアップの傾角調整装置に関する。
【背景技術】
【０００２】
光ピックアップはレーザ光をディスクに照射する機能を有しており、レーザ光の照射方向が適切に調整されていないと、光学的収差が生じて信号レベルの低下などの不都合を生じる。そのため、光ピックアップの製作工程に、レーザ光の照射方向を高い精度で適正に調整することを内容する傾角調整工程が含まれる。
【０００３】
図５は従来の傾角調整装置を採用した光ピックアップの概略斜視図である。この光ピックアップでは、光学台１上に配備されたアクチュエータ５の１箇所がばね体６の弾圧力で光学台１に近付く方向に弾圧されているのに対し、光学台の定位置である２箇所に回転可能に装備された傾角調整ねじ７，８がアクチュエータ５のねじ孔５１，５２にねじ込まれている。
【０００４】
この光ピックアップにおいて、光学台１には図示していない球面受座が備わっていて、その球面受座でアクチュエータ５に具備されている球面突起（不図示）が傾動可能に支持されていると共に、上記したアクチュエータ５に対するばね体６の弾圧箇所や傾角調整ねじ７，８のねじ込み箇所は、上記球面受座に対して偏心箇所にそれぞれ配備されている。また、上記ばね体６にはコイルばねが採用されていて、そのコイルばねが、アクチュエータ５に具備されたばね受片５３とそのばね受片５３の挿通孔（不図示）を通して光学台１のねじ孔（不図示）にねじ込まれた頭付きねじ５４の頭部５５との間に圧縮状態で介在されている。
【０００５】
この光ピックアップにおいて、傾角調整を行うときには、２箇所の傾角調整ねじ７，８を回転操作することにより、アクチュエータ５をコイルばねでなるばね体６の弾圧力を利用して傾動させる。
【０００６】
一方、板ばねと傾角調整ねじとを用いる傾角調整装置が従来より知られている（特許文献１参照）。このものは、図５で説明したコイルばねでなるばね体６を、光学台１にビスを用いて固定した板ばねによって代用したものに相当している。
【０００７】
そのほか、光ピックアップに関する先行例として、ディスクを回転させるためのディスクモータの回転軸の角度を微調整する傾角調整機構に板ばねを用いるものがある（特許文献２参照）ほか、傾角調整ねじを緩み止めするために板ばねを用いるものがある（特許文献３参照）。
【特許文献１】特開２００１−３５７５３８号広報
【特許文献２】特開２００４−３０７２２号広報
【特許文献３】特開２００１−２３１７９号広報
【発明の開示】
【発明が解決しようとする課題】
【０００８】
しかしながら、図５を参照して説明した従来例は、ばね体６をアクチュエータ５のばね受片５３の上に保持し、かつ、そのばね体６を圧縮してそのばね体６の弾圧力でアクチュエータ５を光学台１に近付く方向に弾圧することのために頭付きねじ５４を用いていて、しかも、ばね体６には耐久性に優れてばね性の劣化の起こりにくい高性能のコイルばねを用いる必要があったので、ばね体６が高価であることに加えて、頭付きねじ５４が余分に必要になって部品点数の増加を招き、組立工程で頭付きねじ５４の煩わしい締付工程が必要になって組立工程が複雑化しているという問題があった。さらに、頭付きねじ５４は金型を用いて製作されるので価格が比較的高くついていた。
【０００９】
一方、特許文献１のものも、板ばねをビス止めしているので、ビスが余分に必要になる。そのため、コイルばねに比べて安価に入手できる板ばねを用いているとは云え、組立工程でビスの煩わしい締付工程も必要になる。
【００１０】
本発明は以上の状況に鑑みてなされたものであり、図５で説明したコイルばねに代えて板ばねを用いるものでありながら、その板ばねを固定するためのビスが不要になる対策を講じることにより、光ピックアップの傾角調整装置を安価に提供することと併せて、当該傾角調整装置の構造を単純化して組立作業性を高めることができるようにすることを目的とする。
【課題を解決するための手段】
【００１１】
本発明に係る光ピックアップの傾角調整装置は、光学台上に配備されたアクチュエータの１箇所がばね体の弾圧力で上記光学台に近付く方向に弾圧され、上記光学台の定位置に回転可能に装備されて上記アクチュエータのねじ孔にねじ込まれた傾角調整ねじの回転操作によってそのアクチュエータを上記ばね体の弾圧力を利用して傾動させるようになっていると共に、上記ばね体が、アクチュエータに具備されたばね受片とそのばね受片の挿通孔を通して上記光学台のねじ孔にねじ込まれた頭付きねじの頭部との間に圧縮状態で介在されたコイルばねでなる光ピックアップの傾角調整装置において、上記頭付きねじを省略し、かつ、上記コイルばねを、上記光学台に取付ねじを用いない固定構造を採用して固定された板ばねに変更し、その板ばねの作用部を上記ばね受片に弾圧状態で重ね合わせてある。
【００１２】
この構成であれば、アクチュエータの１箇所を弾圧するためのばね体として、従来のコイルばねに代えて板ばねを用いているためにそれだけばね体のコストが安くつくだけでなく、ばね体を光学台に取付ねじを用いない固定構造で固定するようにしたので、当該傾角調整装置の構造が従来よりも単純化され、組立工程から取付ねじの締付工程がなくなって組立作業性が向上し、全体として光ピックアップの傾角調整装置を安価に提供することが可能になる。
【００１３】
本発明では、上記固定構造として、上記板ばねに設けた取付片部を、光学台に具備させた係止爪に係止させるという構成を採用することが望ましい。
【００１４】
また、本発明では、上記板ばねの作用部が球面状に形成されていて、その作用部が上記ばね受片の挿通孔の口縁に重なり合っている、という構成を採用することも可能であり、この構成を採用すると、アクチュエータが、ばね体による弾圧箇所で水平方向に位置ずれするという事態が阻止されることになって傾角調整精度が向上する。
【００１５】
本発明に係る光ピックアップの傾角調整装置は、光学台上に配備されたアクチュエータの１箇所がばね体の弾圧力で上記光学台に近付く方向に弾圧され、上記光学台の定位置に回転可能に装備されて上記アクチュエータのねじ孔にねじ込まれた傾角調整ねじの回転操作によってそのアクチュエータを上記ばね体の弾圧力を利用して傾動させるようになっていると共に、上記ばね体が、アクチュエータに具備されたばね受片とそのばね受片の挿通孔を通して上記光学台のねじ孔にねじ込まれた頭付きねじの頭部との間に圧縮状態で介在されたコイルばねでなる光ピックアップの傾角調整装置において、上記頭付きねじを省略し、かつ、上記コイルばねを、開口の口縁でなる係止部を有する取付片部とその取付片部から延び出て上記作用部を備えた押圧片部とを有する板ばねに変更してその板ばねの作用部を上記ばね受片に弾圧状態で重ね合わせてあると共に、その板ばねの上記取付片部が上記光学台に具備された差込み孔に差し込まれ、かつ、その取付片部の上記係止部に光学台側に具備された係止爪が係止することによって、その板ばねが上記光学台に固定され、上記板ばねの作用部が球面状に形成されていて、その作用部が上記ばね受片の挿通孔の口縁に重なり合っている、という構成を採用することによっていっそう具体化される。この発明の作用などについては後述する実施形態を参照して詳細に説明する。
【発明の効果】
【００１６】
以上のように、本発明によれば、図５で説明したコイルばねに代えて板ばねを用いるものでありながら、その板ばねを固定するためのビスが不要になるので、ばね体を安価に入手することが可能になり、併せて、当該傾角調整装置の構造が単純化されて煩わしいねじ締め作業がなくなり、組立作業性が向上する。
【発明を実施するための最良の形態】
【００１７】
図１は本発明に係る傾角調整装置を採用した光ピックアップの概略斜視図、図２は固定構造を例示した断面図、図３はばね体に位置決め機能を持たせた事例を示す断面図、図４はばね受片の斜視図である。
【００１８】
図１に示した光ピックアップは、図５で説明した従来例と同様に、光学台１上に配備されたアクチュエータ５の１箇所がばね体６の弾圧力で光学台１に近付く方向に弾圧されているのに対し、光学台の定位置である２箇所に回転可能に装備された傾角調整ねじ７，８がアクチュエータ５のねじ孔５１，５２にねじ込まれていると共に、光学台１には図示していない球面受座が備わっていて、その球面受座でアクチュエータ５に具備されている球面突起（不図示）が傾動可能に支持され、アクチュエータ５に対するばね体６の弾圧箇所や傾角調整ねじ７，８のねじ込み箇所は、上記球面受座に対して偏心箇所にそれぞれ配備されている。
【００１９】
この構成の光ピックアップにおいて、図５で説明した従来例と異なる点は、ばね体６に板ばねを用い、その板ばねでなるばね体６を光学台１に取付ねじを用いない固定構造を採用して固定してあって、その板ばねの作用部をアクチュエータ５のばね受片５３に弾圧状態で重ね合わせてある点だけである。図４ように、ばね受片５３は挿通孔５６を有していて、この挿通孔５３は、本来的には図５で説明した頭付きねじ５４を挿通させるために形成されたものである。
【００２０】
図２又は図３のように、ばね体６としての板ばねは、取付片部６１とこの取付片部６１の一端から略直角方向に延び出た押圧片部６２とを有していて、取付片部６１には開口６３の口縁でなる係止部６４が備わっている。そして、その取付片部６１を光学台１に形成したスリット状の差込み孔１２に差し込んで上記係止部６４を光学台１側に備わっている係止爪１３に係止させることによって、ばね体６としての板ばねが光学台１に動かないように固定されている。また、上記押圧片部６２に備わっている作用部６５が、アクチュエータ５のばね受片５３の上に弾圧状態で重ね合わされている。したがって、上記した傾角調整ねじ７，８の正方向又は逆方向に回転操作すると、アクチュエータ５が、ばね体６の弾圧力により、又は、ばね体６の弾圧力に抗して、傾動して傾角調整が行われる。
【００２１】
図２の事例は、ばね体６の押圧片部６２の作用部６５を平坦に形成してあるけれども、この点は、図３のように、作用部６５をプレス成形などの手段で球面状に形成しておき、、その作用部をばね受片５３の挿通孔５６の口縁５７に弾圧状態で重ね合わせておいてもよい。こうしておくと、球面状の作用部５６がばね受片５３の位置ずれを防ぐので、アクチュエータ５の位置ずれが防止されて傾角調整精度が向上するという利点がある。また、記述したように上記挿通孔５６は本来的には図５で説明した頭付きねじ５４を挿通させるために形成されたものであるけれども、この事例のように球面状の作用部５６を挿通孔５６の口縁５７に弾圧状態で重ね合わせる構成を採用することによって、その挿通孔５６を位置決めのために有効活用することが可能になるという利点もある。
【図面の簡単な説明】
【００２２】
【図１】本発明に係る傾角調整装置を採用した光ピックアップの概略斜視図である。
【図２】固定構造を例示した断面図である。
【図３】ばね体に位置決め機能を持たせた事例を示す断面図である。
【図４】ばね受片の斜視図である。
【図５】従来例の概略斜視図である。
【符号の説明】
【００２３】
１  光学台
５  アクチュエータ
６  ばね体
７，８  傾角調整ねじ
１２  差込み孔
１３  係止爪
５１，５２  ねじ孔
５３  ばね受片
５４  頭付きねじ
５５  頭付きねじの頭部
５６  挿通孔
５７  挿通孔の口縁
６１  取付片部
６４  係止部
６５  作用部
【図１】
2006134413.tif 000003
【図２】
2006134413.tif 000004
【図３】
2006134413.tif 000005
【図４】
2006134413.tif 000006
【図５】
2006134413.tif 000007